【手続補正書】
【提出日】平成16年4月28日(2004.4.28)
【手続補正１】
【補正対象書類名】明細書
【補正対象項目名】全文
【補正方法】変更
【補正の内容】
【書類名】              明細書
【発明の名称】          弾球遊技機のガラス扉
【特許請求の範囲】
【請求項１】  弾球遊技機の前面側にて開閉可能に取り付けられるガラス扉において、
前記弾球遊技機の前面を視認可能とする開口部と、
開口部の周囲に形成されてガラスの周囲を保持する保持部と、
保持部に保持されるガラス前面側にて前記開口部より外側の周囲を覆う周縁被覆部とを一体に形成した金属製のガラス保持枠と、
前記ガラス保持枠における周縁被覆部の周囲の前面部に固着され、前記開口部の周囲から離隔されて該周縁被覆部の周囲を被覆する合成樹脂製の扉カバー部材とを備えたことを特徴とする弾球遊技機のガラス扉。
【請求項２】  前記ガラス保持枠には前記周縁被覆部から延出された延出部が形成され、前記扉カバー部材は、延出部を介してガラス保持枠に螺着されていることを特徴とする請求項１記載の弾球遊技機のガラス扉。
【請求項３】  前記周縁被覆部は、前記開口部周縁に扉カバー部材の前面よりも突出して形成された突出縁部を有することを特徴とする請求項１又は請求項２記載の弾球遊技機のガラス扉。
【発明の詳細な説明】
【０００１】
【発明の属する技術分野】
本発明は、パチンコ遊技機やコイン遊技機等の弾球遊技機の前面側に開閉自在に取り付けられるガラス扉に関し、特に、金属製のガラス保持枠の周囲を合成樹脂製の扉カバー部材で被覆することにより、開口部周囲に金属製装飾部材を配設して意匠に豪華さを出すことができ、又、ガラス扉の十分な強度の保持が可能であるとともに、ガラス前面の清掃用洗剤液等の化学物質から合成樹脂製扉カバー部材を保護することができ、さらに、防犯対策を効果的に行うことが可能な弾球遊技機のガラス扉に関するものである。
【０００２】
【従来の技術】
従来、弾球遊技機の前面枠の開口部を覆うガラス扉枠は、そのほとんどが金属製であるため、デザイン的に均一化していた。そこで、ガラス扉枠のデザインの一新を図り、又、その装飾性を豪華にするため合成樹脂製のガラス扉が種々提案されている。例えば、特開平７−８０１４４号公報記載のパチンコ機においては、前面枠に遊技盤が臨む開口が設けられ、該開口を覆うガラス扉は、額縁状に形成された金属製の枠主体の各辺の前面を合成樹脂製のカバー体で各々被覆され、該前面枠の一側端部に開閉自在、且つ着脱自在に軸支されている。また、特開平８−１０７９７０号公報記載の弾球遊技機においては、遊技盤の遊技領域を透視し得る遊技開口を有するとともに、該遊技開口に対応してガラスを装着可能とする透明板保持枠が、合成樹脂製の主枠構成部材により構成され、該主枠構成部材の左右前面に合成樹脂製の補強枠部材が装着され、金属製のヒンジ部材を介して枠基体の一側端部に開閉自在、且つ着脱自在に軸支されている。
【０００３】
【発明が解決しようとする課題】
しかしながら、前記特開平７−８０１４４号公報に記載されたパチンコ機では、合成樹脂製のカバー体により金属製の枠主体の前面を全て被覆するため、カバー体の開口部側端縁面と開口部に装着されるガラス面との間隔が非常に狭くなる。このため、該ガラス面を清掃する際に使用される洗剤が、カバー体の開口部側端縁部に付着し、洗剤の化学物質による樹脂割れの発生やカバー体表面のツヤが無くなるという問題がある。
また、特開平８−１０７９７０号公報に記載された弾球遊技機では、合成樹脂製の主枠構成部材の遊技開口裏面側にはガラス収納部材によりセットガラスが装着されるため、遊技開口部の端縁面とセットガラス面とは連続した面を形成する。このため、該セットガラス面を清掃する際に使用される洗剤が、遊技開口の周縁部に付着し、洗剤の化学物質による樹脂割れの発生や主枠構成部材の表面のツヤが無くなるという問題がある。また、合成樹脂は変形しやすいため、遊技開口部を変形させて遊技開口部の周縁面とセットガラス面との間に隙間を作り、ガラス面側から不正行為が行われやすいという問題がある。さらに、特殊な形状のセットガラスを使用するとともに、穴空けの不正行為防止及び補強のための金属製のカバー部材を透明板保持枠の裏側に装着する必要があるため、材料費や作業工数が多くなり、製造コストアップになるという問題がある。
【０００４】
そこで、本発明は、上述した問題点を解決するためになされたものであり、金属製のガラス保持枠のガラス前面側の開口部周囲に周縁被覆部を設け、該周縁被覆部に隣接して合成樹脂製の扉カバー部材を固着することにより、ガラス前面と扉カバー部材端面との間に所定距離が保持されるため、ガラス前面を清掃する際に使用される洗剤の扉カバー部材への付着を防止でき、樹脂割れ等の発生を防止することが可能になるとともに、弾球遊技機の前面側からの不正行為を防止することが可能な弾球遊技機のガラス扉を提供することを目的とする。また、開口部周囲に金属製装飾部材を配設して意匠に豪華さを出すことができ、且つ、ガラス扉の十分な強度の保持が可能な弾球遊技機のガラス扉を提供することを目的とする。
また、金属製のガラス保持枠のガラス前面側に形成された周縁被覆部の開口部周縁に扉カバー部材の前面よりも突出した突出縁部を設けることにより、ガラス扉の開口部周囲を金属で装飾することができ、豪華な意匠を形成することが可能になるとともに、ガラス前面を清掃する際に使用される洗剤の扉カバー部材への付着をより確実に防止でき、樹脂割れ等の発生を確実に防止することが可能な弾球遊技機のガラス扉を提供することを目的とする。
さらに、金属製のガラス保持枠により、ガラス扉の強度を保持することが可能になるとともに、従来のガラス部品を使用できるため製造コストの削減が可能な弾球遊技機のガラス扉を提供することを目的とする。
【０００５】
【課題を解決するための手段】
前記目的を達成するために、請求項１に係る弾球遊技機のガラス扉は、弾球遊技機の前面側にて開閉可能に取り付けられるガラス扉において、前記弾球遊技機の前面を視認可能とする開口部と、開口部の周囲に形成されてガラスの周囲を保持する保持部と、保持部に保持されるガラス前面側にて前記開口部より外側の周囲を覆う周縁被覆部とを一体に形成した金属製のガラス保持枠と、前記ガラス保持枠における周縁被覆部の周囲の前面部に固着され、前記開口部の周囲から離隔されて該周縁被覆部の周囲を被覆する合成樹脂製の扉カバー部材とを備えたことを特徴とする。
【０００６】
このような特徴を有する請求項１に係る弾球遊技機のガラス扉においては、弾球遊技機の遊技盤を視認可能とする開口部と、該開口部周囲に形成されてガラスを保持する保持部と、該保持部に保持されるガラスの前面側にてこの開口部より外側の周囲を覆う周縁被覆部が一体に形成された金属製のガラス保持枠の周縁被覆部周囲に合成樹脂製の扉カバー部材が固着され、この開口部周囲と該合成樹脂製の扉カバー部材とは、金属製のガラス保持枠の周縁被覆部により離隔されて、該周縁被覆部の周囲が扉カバー部材により被覆されて弾球遊技機の前面側に開閉可能に取り付けられる。
これにより、金属製のガラス保持枠のガラス前面側の開口部周囲に設けられた周縁被覆部によって、ガラス前面と扉カバー部材端面との間に所定距離が保持されるため、ガラス前面を清掃する際に使用される洗剤の合成樹脂製の扉カバー部材への付着を防止でき、樹脂割れの発生や変色を防止することが可能になる。また、金属製の周縁被覆部が開口部周縁に形成されることにより、従来の樹脂による装飾に加えて金属光沢を取り入れることができ、豪華な意匠を形成することが可能になる。また、ガラス保持枠が金属製であるため、ガラス扉の強度を保持することが可能になるとともに、穴空けの不正行為防止用のカバー部材等が必要でないため材料コストと取付作業工数の削減が可能になる。さらに、ガラス保持枠が金属製であるため、従来のガラス部品を使用できるため材料費の削減が可能になる。
【０００７】
また、請求項２に係る弾球遊技機のガラス扉は、請求項１の弾球遊技機のガラス扉において、前記ガラス保持枠には前記周縁被覆部から延出された延出部が形成され、前記扉カバー部材は、延出部を介してガラス保持枠に螺着されていることを特徴とする。
【０００８】
このような特徴を有する請求項２に係る弾球遊技機のガラス扉においては、前記ガラス保持枠の周縁被覆部から延出された延出部を介して、前記扉カバー部材にガラス保持枠が螺着される。
これにより、合成樹脂製扉カバー部材は前面の開口部を有する金属製ガラス保持枠と別体として保管することができ、在庫スペースをとらず管理経費を安くすることが可能になる。また、容易に合成樹脂製扉カバー部材から金属製ガラス保持枠を取り外すことができ、ガラス扉のデザイン変更を容易に行うことが可能になる。
【０００９】
さらに、請求項３に係る弾球遊技機のガラス扉は、請求項１又は請求項２の弾球遊技機のガラス扉において、前記周縁被覆部は、前記開口部周縁に扉カバー部材の前面よりも突出して形成された突出縁部を有することを特徴とする。
【００１０】
このような特徴を有する請求項３に係る弾球遊技機のガラス扉においては、前記ガラス保持枠の周縁被覆部の開口部周縁に、扉カバー部材の前面よりも突出して形成された突出縁部が形成されている。
これにより、ガラス前面と扉カバー部材端面との間に金属製の突出縁部が介在するため、ガラス前面を清掃する際に使用される洗剤の扉カバー部材への付着をより確実に防止でき、ガラス洗剤等による樹脂割れ等の発生を確実に防止することが可能になる。また、突出縁部の周縁と合成樹脂製扉カバー部材との間に隙間を作ることを困難にし、前面側からの不正行為をより確実に防止することが可能となる。
【００１１】
【発明の実施の形態】
以下、本発明に係る弾球遊技機のガラス扉について、本発明をパチンコ機のガラス扉につき具体化した第１乃至第３の実施形態を図１乃至図１２を参照しつつ詳細に説明する。先ず、第１実施形態に係るパチンコ機のガラス扉について図１乃至図６に基づき説明する。
第１実施形態に係るパチンコ機の全体構成について図１及び図２により説明する。図１は第１実施形態に係るパチンコ機全体を示した正面図である。図２は第１実施形態に係るパチンコ機の遊技領域を示した正面図である。
図１において、パチンコ機１は、いわゆる第一種パチンコ機である。パチンコ機１は、後述する入賞口、図柄表示装置、電動役物及び、ゲート等の各種構造物が遊技盤２上に配設されている。その遊技盤２の下には、不図示の樋を介して排出される賞球を受ける上部受け皿３がスピーカ３ａを内蔵してプレート４に配設されている。そして、その上部受け皿３の下には、下部受け皿５が配設される。また、上部受け皿３に連通する不図示の球送り機構を介して上部受け皿３のパチンコ球がハンドル６に連結された不図示の発射装置へ送られるよう構成されている。また、遊技盤２の両肩部には、賞球及び球切れ表示ランプ１０，１０が設けられている。
一方、遊技盤２の前側は、ガラス扉９により被覆されており、該ガラス扉９は、後述するようにパチンコ機１の前面にヒンジ部材５６等を介して開閉自在、且つ着脱自在に取り付けられている。また、ガラス扉９には開口部５０（図３参照）を有するガラス保持枠９Ａが螺着されており、該ガラス保持枠９Ａに装着された２枚のガラス５１、５１（図４参照）を通して遊技領域を見ることができる。また、ガラス扉９の右上部には、遊技中のエラーを表示するエラー表示ランプ７や「当たり」を表示する当たり表示ランプ８，８が螺着されている。
【００１２】
次に、図２において、パチンコ機１における遊技盤２上の遊技領域の構成について説明する。この遊技領域１１は、所定厚さの板材をなした遊技盤２上に入賞口などの各構造物が配設され、それを囲むように環状のレール１２が立設されて構成されている。このレール１２は、発射されたパチンコ球を遊技領域１１内に案内する重複して形成した案内路１３を構成し、右肩部にはレール１２に沿って打ち込まれるパチンコ球の進行を制限するための段差部１４を有する。そして、その段差部１４には軸１５に支持された返しゴム１６が配設されている。
【００１３】
遊技領域１１のほぼ中央には、開口部が開設され、この開口部の前面側に図柄表示装置１８が配設されている。図柄表示装置１８は、左、中、右に３分割された特別図柄を表示する映像表示装置１９が遊技盤２の裏面側から設けられ、また、図柄表示装置１８の上方に一面の可変表示手段である図柄表示器２０が設けられている。また、図柄表示装置１８は、頂部に入賞口２１が形成され遊技盤２裏面の不図示の賞球樋に連通され、両肩部には図柄表示装置１８を通過する通過口（図示されていない）が形成されている。
一方、図柄表示装置１８の左右には入賞口２３，２４が設けられている。そして、図柄表示装置１８の両肩側には電飾ランプ付きの風車２５，２６が、また入賞口２３，２４の両側及び図柄表示装置１８の間には通常の風車２８，２９、及び２７，３０が設けられている。
【００１４】
また、図柄表示装置１８の直下には、始動口３５が配設されている。始動口３５は、パチンコ球の入賞を検出する検出スイッチ（図示されていない）が備えられ、この始動口３５にパチンコ球が入賞することを検出することで映像表示装置１９を作動させる。
そして、始動口３５の下方には、大入賞口３１が形成された特別電動役物３２が配設されている。大入賞口３１は、横幅を持った上方に開口する開閉扉３３が、始動口３５にパチンコ球が入り、映像表示装置１９の図柄が変動した後に、所定状態を達成した場合（例えば、ＡＡＡのようにそろった場合等）に開かれる。この開閉扉３３は、不図示のソレノイドによって開口するよう構成されている。
【００１５】
そして、このような特別電動役物３２の両側上方には電飾ランプが施された下入賞口４２，４３が配設され、特別電動役物３２の直下にはレール１２に沿ってアウト口４４が開設されている。更に、レール１２に囲まれたこのような遊技領域１１には、前記各構成物とともに複数の釘が打設されてパチンコ球の複雑な流路を構成している。
【００１６】
次に、ガラス扉９の構造について図３乃至図６に基づいて詳細に説明する。図３は第１実施形態に係るガラス扉９の正面図である。図４は図３に示すガラス扉９のＡ−Ａ断面図である。図５は図３に示すガラス扉９のＢ−Ｂ断面図である。図６は図３に示すガラス扉９のＣ−Ｃ断面図である。
【００１７】
図３において、ガラス扉９は遊技盤２の遊技領域１１を透視できる２枚のガラス板５１、５１（図４参照）を保持する薄いステンレス板や鋼板等により形成されるガラス保持枠９Ａと、該ガラス保持枠９Ａの左右、及び上部を覆うＡＢＳ樹脂等の合成樹脂製の扉カバー部材５３とから構成されている。
先ず、扉カバー部材５３について説明する。図３に示すように、扉カバー部材５３は、下側に開口を有する略コの字形であり、中央部にガラス保持枠９Ａの開口部５０の周辺に形成された突出縁部５２が嵌挿される略四角形の開口部が形成されている。そして、上部及び右側前面には、当たり表示ランプ８，８を螺着するための各ランプ取付用ビス孔５４Ａ〜５４Ｄが形成されている。また、右側前面のほぼ上下中央部には、鍵装置が貫通するための貫通孔５５が穿設されている。また、左側上端部にはヒンジ部材５６との干渉回避用の切欠き部５７が形成されている。
【００１８】
また、扉カバー部材５３の裏面側の構造は、左側裏面に、保持枠取付用ポスト５８Ａ〜５８Ｄがほぼ等間隔で垂設され、右側裏面に、保持枠取付用ポスト５８Ｅ〜５８Ｈがほぼ等間隔で垂設されている。そして、各保持枠取付用ポスト５８Ａ〜５８Ｈの上端面には、ビス孔（図示されていない）が形成されている。また、左上側の所定位置には、ヒンジ上金具７３を取り付けるためのヒンジ上取付ポスト６１Ａ、６１Ｂが垂設されている。また、左下側の所定位置には、ヒンジ下金具７４を取り付けるためのヒンジ下取付ポスト６１Ｃが垂設されている。そして、各ヒンジ上取付ポスト６１Ａ、６１Ｂ、及びヒンジ下取付ポスト６１Ｃの上端面には、ビス孔（図示されていない）が形成されている。
【００１９】
次に、ガラス保持枠９Ａについて説明する。図３に示されるように、ガラス保持枠９Ａの中央部に形成された開口部５０の周縁部には、突出縁部５２が形成され、該突出縁部５２から左右、上下に延出された左側延出部５９Ａ、右側延出部５９Ｂ、上側延出部５９Ｃ、下側延出部５９Ｄが形成されている。また、該左側延出部５９Ａ及び右側延出部５９Ｂの各端縁部の前記保持枠取付用ポスト５８Ａ〜５８Ｈに対応する位置には、各保持枠取付用ポスト５８Ａ〜５８Ｈの外径よりも小さい孔径の保持枠取付用ビス孔６０Ａ〜６０Ｈが穿設されている。また、突出縁部５２の頂端面から各延出部５９Ａ〜５９Ｄまでの高さ寸法は、前記扉カバー部材５３の前面から各保持枠取付用ポスト５８Ａ〜５８Ｈの上端面までの長さ寸法よりも所定寸法大きく形成されている。
【００２０】
また、図４及び図５に示されるように、ガラス保持枠９Ａの左側延出部５９Ａ及び右側延出部５９Ｂ、及び下側延出部５９Ｄの裏側には、前側ガラス保持部７６Ａが形成され、この裏側には後側ガラス保持部７６Ｂが形成されている。そして、各ガラス保持部７６Ａ、７６Ｂには２枚のガラス５１、５１が上側から挿入され、保持されている。
【００２１】
次に、ガラス保持枠９Ａは、各保持枠取付用ビス孔６０Ａ〜６０Ｈにビスを挿入され、各保持枠取付用ポスト５８Ａ〜５８Ｈを介して扉カバー部材５３に螺着される。そして、突出縁部５２の頂端部は、扉カバー部材５３の前面より所定寸法だけ前側に突出している。また、下側延出部５９Ｄの端縁部は裏側方向にほぼ直角に折り曲げられており、螺着時、扉カバー部材５３の下端面と協動して、ほぼ同一面が形成される（図３参照）。
【００２２】
また、図３及び図４に示されるように、扉カバー部材５３の左下側に垂設されたヒンジ下取付ポスト６１Ｃには、回転支持ピン７５が設けられたヒンジ下金具７４が螺着されている。また、回転支持ピン７５は、扉カバー部材５３の下端面より所定寸法突出しており、下側ヒンジ部材（図示されていない）に回転可能に係合される。
【００２３】
また、図３及び図４に示されるように、扉カバー部材５３の左上側に垂設されたヒンジ上取付ポスト６１Ａ、６１Ｂには、ヒンジ上金具７３が螺着されている。
次に、ヒンジ上金具７３は、図６に示されるように、断面が略コの字形に形成され、曲げ部の両端縁部（図６中、上下の端縁部）にはヒンジピン７１が連通される貫通孔が形成されており、平板部の各ヒンジ上取付ポスト６１Ａ、６１Ｂに対応する位置には、各ヒンジ上取付ポスト６１Ａ、６１Ｂの外径よりも小さい孔径のビス孔が穿設されている。そして、ヒンジ上金具７３は、ビス７６、７６により各ヒンジ上取付ポスト６１Ａ、６１Ｂに固定されている。また、ヒンジ上金具７３には、前記ヒンジ部材５６と係合する略Ｌ字形のヒンジピン７１がスプリング７２より上下動可能に設けられている。
【００２４】
以上詳細に説明した通り、第１実施形態に係るパチンコ機のガラス扉９は、開口部５０の周縁部に突出縁部５２を形成されたガラス保持枠９Ａと扉カバー部材５３等とより構成され、上下動可能に設けられたヒンジピン７１、及び回転支持ピン７５を介して、ヒンジ部材５６及び下側ヒンジ部材に係合され、遊技盤２の前面に着脱可能、且つ回転可能に設けられている。
したがって、金属製のガラス保持枠９Ａのガラス５１前面側の周囲に設けられた突出縁部５２が扉カバー部材５３の前面より突出していることによって、ガラス５１前面を清掃する際に使用される洗剤の合成樹脂製の扉カバー部材５３への付着をより確実に防止でき、樹脂割れの発生や変色を確実に防止することが可能になる。また、突出縁部５２の周縁と合成樹脂製扉カバー部材５３との間に隙間を作ることを困難にし、前面側からの不正行為をより確実に防止することが可能になる。
また、金属製の突出縁部５２が開口部５０周縁に形成されることにより、従来の樹脂による装飾に加えて金属光沢を取り入れることができ、豪華な意匠を形成することが可能になる。また、ガラス保持枠９Ａが金属製であるため、ガラス扉９の強度を保持することが可能になるとともに、穴空けの不正行為防止用のカバー部材等が必要でないため材料コストと取付作業工数の削減が可能になる。さらに、ガラス保持枠９Ａが金属製であるため、従来のガラス部品を使用できるため材料費の削減が可能になる。
さらに、合成樹脂製扉カバー部材５３は、前面に開口部５０を有する金属製ガラス保持枠９Ａと別体として保管することができ、在庫スペースをとらず管理経費を安くすることが可能となる。また、容易に合成樹脂製扉カバー部材５３から金属製ガラス保持枠９Ａを取り外すことができ、ガラス扉９のデザイン変更を容易に行うことが可能になる。
【００２５】
次に、第２実施形態に係るパチンコ機のガラス扉について図７乃至図９に基づき説明する。図７は第２実施形態に係るガラス扉８０の正面図である。図８は図７に示すガラス扉８０のＤ−Ｄ断面図である。図９は図７に示すガラス扉８０のＥ−Ｅ断面図である。
【００２６】
ここで、第２実施形態に係るパチンコ機の全体構成は、第１実施形態に係るパチンコ機１の全体構成とほぼ同じ構成である。また、図７乃至図９に示すように、第２実施形態に係るパチンコ機のガラス扉８０の構成は、第１実施形態に係るパチンコ機のガラス扉９の構成とほぼ同じであるが、金属製ガラス保持枠９Ａに替えて金属製ガラス保持枠８１が螺設されている。
【００２７】
次に、薄いステンレス板や鋼板等により形成された金属製ガラス保持枠８１について説明する。図７に示されるように、ガラス保持枠８１の中央部に形成された開口部５０の周縁部には、前記突出縁部５２が形成され、該突出縁部５２から上側及び左右両側の扉カバー部材５３の裏面側端縁部の折曲部まで延出された上側延出部８２Ｃ、左側延出部８２Ａ、及び、右側延出部８２Ｂが形成され、下側には前記下側延出部５９Ｄが形成されている。また、該左側延出部８２Ａ及び右側延出部８２Ｂの前記保持枠取付用ポスト５８Ａ〜５８Ｈに対応する位置には、各保持枠取付用ポスト５８Ａ〜５８Ｈの外径よりも小さい孔径の保持枠取付用ビス孔６０Ａ〜６０Ｈが穿設されている。
【００２８】
また、図８及び図９に示されるように、ガラス保持枠８１の左側延出部８２Ａ及び右側延出部８２Ｂ、及び下側延出部５９Ｄの裏側には、前側ガラス保持部７６Ａが形成され、この裏側には後側ガラス保持部７６Ｂが形成されている。そして、各ガラス保持部７６Ａ、７６Ｂには２枚のガラス５１、５１が上側から挿入され、保持されている。
また、左側延出部８２Ａ、右側延出部８２Ｂ、及び上側延出部８２Ｃは、各々、各保持枠取付用ポスト５８Ａ〜５８Ｈの外側の所定位置にて前側（図８中において右側、図９において左側）に折り曲げられて、扉カバー部材５３の裏面に当接する位置にて、再度、折り曲げられ、扉カバー部材５３の裏面側端縁部の折曲部まで延出されている。
【００２９】
次に、ガラス保持枠８１は、各保持枠取付用ビス孔６０Ａ〜６０Ｈにビスを挿入され、各保持枠取付用ポスト５８Ａ〜５８Ｈを介して扉カバー部材５３に螺着される。そして、突出縁部５２の頂端部は、扉カバー部材５３の前面より所定寸法だけ前側に突出している。また、下側延出部５９Ｄの端縁部は裏側方向にほぼ直角に折り曲げられており、螺着時、扉カバー部材５３の下端面と協動して、ほぼ同一面が形成される（図９参照）。
【００３０】
以上詳細に説明した通り、第２実施形態に係るパチンコ機のガラス扉８０は、ガラス保持枠８１の開口部５０の周縁部に突出縁部５２が形成されるとともに、該突出縁部５２の上側、及び左右両側に上側延出部８２Ｃ、左側延出部８２Ａ、右側延出部８２Ｂが形成される。そして、該ガラス保持枠８１は、扉カバー部材５３の裏面に螺設され、該扉カバー部材５３の裏面はガラス保持枠８１の上側延出部８２Ｃ、左側延出部８２Ａ、右側延出部８２Ｂにより、ほぼ覆われる。
したがって、金属製のガラス保持枠８１のガラス５１前面側の周囲に設けられた突出縁部５２が扉カバー部材５３の前面より突出していることによって、ガラス５１前面を清掃する際に使用される洗剤の合成樹脂製の扉カバー部材５３への付着をより確実に防止でき、樹脂割れの発生や変色を確実に防止することが可能になる。また、突出縁部５２の周縁と合成樹脂製扉カバー部材５３との間に隙間を作ることを困難にし、前面側からの不正行為をより確実に防止することが可能になる。
また、金属製の突出縁部５２が開口部５０周縁に形成されることにより、従来の樹脂による装飾に加えて金属光沢を取り入れることができ、豪華な意匠を形成することが可能になる。また、金属製ガラス保持枠８１により扉カバー部材５３の裏面をほぼ覆うことができ、ガラス扉８０の所定強度を保持することが可能になるとともに、熱したピアノ線を貫通させる等のパチンコ機前面側から不正行為を防止できるため、穴空けの不正行為防止用のカバー部材等が必要でないため材料コストと取付作業工数の削減が可能になる。さらに、ガラス保持枠８１が金属製であるため、従来のガラス部品を使用できるため材料費の削減が可能になる。  さらに、合成樹脂製扉カバー部材５３は、前面に開口部５０を有する金属製ガラス保持枠８１と別体として保管することができ、在庫スペースをとらず管理経費を安くすることが可能となる。また、容易に合成樹脂製扉カバー部材５３から金属製ガラス保持枠８１を取り外すことができ、ガラス扉８０のデザイン変更を容易に行うことが可能になる。
【００３１】
次に、第３実施形態に係るパチンコ機のガラス扉について図１０乃至図１２に基づき説明する。図１０は第３実施形態に係るガラス扉９０の正面図である。図１１は図１０に示すガラス扉９０のＦ−Ｆ断面図である。図１２は図１０に示すガラス扉９０のＧ−Ｇ断面図である。
【００３２】
ここで、第３実施形態に係るパチンコ機の全体構成は、第１実施形態に係るパチンコ機１及び第２実施形態に係るパチンコ機の全体構成とほぼ同じ構成である。また、図１０乃至図１２に示すように、第３実施形態に係るパチンコ機のガラス扉９０の構成は、第２実施形態に係るパチンコ機のガラス扉８０の構成とほぼ同じであるが、金属製ガラス保持枠８１に替えて金属製ガラス保持枠９１が螺設されている。
【００３３】
次に、薄いステンレス板や鋼板等により形成された金属製ガラス保持枠９１について説明する。図１０に示されるように、ガラス保持枠９１の中央部に形成された開口部５０の周囲は平板により形成された周縁被覆部９２により覆われており、該周縁被覆部９２の前記保持枠取付用ポスト５８Ａ〜５８Ｈに対応する位置には、各保持枠取付用ポスト５８Ａ〜５８Ｈの外径よりも小さい孔径の保持枠取付用ビス孔６０Ａ〜６０Ｈが穿設されている。
【００３４】
また、図１１及び図１２に示されるように、ガラス保持枠９１の周縁被覆部９２の下側及び左右両側の裏面には、前側ガラス保持部７６Ａが形成され、この裏側には後側ガラス保持部７６Ｂが形成されている。そして、各ガラス保持部７６Ａ、７６Ｂには２枚のガラス５１、５１が上側から挿入され、保持されている。
【００３５】
また、図１１及び図１２に示すように、周縁被覆部９２の上側及び左右両側は、各々、各保持枠取付用ポスト５８Ａ〜５８Ｈの外側の所定位置にて前側（図１１中において右側、図１２において左側）に折り曲げられて、扉カバー部材５３の裏面に当接する位置にて、再度、折り曲げられ、扉カバー部材５３の裏面側端縁部の折曲部まで延出され、上側延出部９３Ｃ、左側延出部９３Ａ、及び右側延出部９３Ｂが形成されている。また、周縁被覆部９２の下側は、ガラス保持部７６Ａの下側端縁部にて前側（図１２中、左側）に折り曲げられた後、扉カバー部材５３の前面位置にて下側に折り曲げられ、再度、扉カバー部材５３の下端面の位置にて奥側（図１２中、右側）に折り曲げられ、下側延出部９３Ｄが形成されている。
【００３６】
次に、ガラス保持枠９１は、各保持枠取付用ビス孔６０Ａ〜６０Ｈにビスを挿入され、各保持枠取付用ポスト５８Ａ〜５８Ｈを介して扉カバー部材５３に螺着される。そして、開口部５０と合成樹脂製扉カバー部材５３とは、金属製ガラス保持枠９１の周縁被覆部９２により離隔されている。また、下側延出部９３Ｄは、扉カバー部材５３の下端面と協動して、ほぼ同一面を形成する（図１０参照）。
【００３７】
以上詳細に説明した通り、第３実施形態に係るパチンコ機のガラス扉９０は、ガラス保持枠９１の開口部５０の周囲に平板により形成された周縁被覆部９２が形成されるとともに、該周縁被覆部９２の上下及び左右両側に上側延出部９３Ｃ、下側延出部９３Ｄ、左側延出部９３Ａ、及び右側延出部９３Ｂが形成される。そして、該ガラス保持枠９１は、扉カバー部材５３の裏面に螺設され、該扉カバー部材５３の裏面はガラス保持枠９１の上側延出部９３Ｃ、左側延出部９３Ａ、右側延出部９３Ｂにより、ほぼ覆われる。
したがって、金属製のガラス保持枠９１の開口部５０の周囲に設けられた周縁被覆部９２より、合成樹脂製扉カバー部材５３とガラス５１前面とが離隔されるため、ガラス５１前面を清掃する際に使用される洗剤の合成樹脂製の扉カバー部材５３への付着を確実に防止でき、樹脂割れの発生や変色を確実に防止することが可能になる。
また、金属製の周縁被覆部９２が開口部５０周縁に形成されることにより、従来の樹脂による装飾に加えて開口部周囲の広い部分に金属光沢を取り入れることができ、豪華な意匠を形成し、見栄えをより向上させることが可能になる。また、金属製ガラス保持枠９１の上側延出部９３Ｃ、左側延出部９３Ａ、右側延出部９３Ｂにより扉カバー部材５３の裏面をほぼ覆うことができ、ガラス扉９０の所定強度を保持することが可能になるとともに、熱したピアノ線を貫通させる等のパチンコ機前面側から不正行為を防止できるため、穴空けの不正行為防止用のカバー部材等が必要でないため材料コストと取付作業工数の削減が可能になる。さらに、ガラス保持枠９１が金属製であるため、従来のガラス部品を使用できるため材料費の削減が可能になる。
さらに、合成樹脂製扉カバー部材５３は、前面に開口部５０を有する金属製ガラス保持枠９１１と別体として保管することができ、在庫スペースをとらず管理経費を安くすることが可能となる。また、容易に合成樹脂製扉カバー部材５３から金属製ガラス保持枠９１を取り外すことができ、ガラス扉９０のデザイン変更を容易に行うことが可能になる。
【００３８】
尚、本発明は前記実施形態に限定されるものではなく、本発明の要旨を逸脱しない範囲内で種々の改良、変形が可能であることは勿論であり、以下のようにしてもよい。
（ａ）前記実施形態では開口部５０の形状を略四角形にしているが、丸形や多角形にして、ガラス保持部はそのままの略四角形にしてもよい。
（ｂ）扉カバー部材５３の表面に装飾用メッキ等を施してもよい。
（ｃ）前記実施形態ではガラス５１を用いているが、透明なアクリル樹脂等の樹脂板を用いてもよい。
【００３９】
【発明の効果】
以上説明した通り、請求項１に係る弾球遊技機のガラス扉によれば、弾球遊技機の遊技盤を視認可能とする開口部と、該開口部周囲に形成されてガラスを保持する保持部と、該保持部に保持されるガラスの前面側にてこの開口部より外側の周囲を覆う周縁被覆部が一体に形成された金属製のガラス保持枠の周縁被覆部周囲に合成樹脂製の扉カバー部材が固着され、この開口部周囲と該合成樹脂製の扉カバー部材とは、金属製のガラス保持枠の周縁被覆部により離隔されて、該周縁被覆部の周囲が扉カバー部材により被覆されて弾球遊技機の前面側に開閉可能に取り付けられる。
これにより、金属製のガラス保持枠のガラス前面側の開口部周囲に設けられた周縁被覆部によって、ガラス前面と扉カバー部材端面との間に所定距離が保持されるため、ガラス前面を清掃する際に使用される洗剤の合成樹脂製の扉カバー部材への付着を防止でき、樹脂割れの発生や変色を防止することが可能な弾球遊技機のガラス扉を提供することができる。また、金属製の周縁被覆部が開口部周縁に形成されることにより、従来の樹脂による装飾に加えて金属光沢を取り入れることができ、豪華な意匠を形成することが可能になる。また、ガラス保持枠が金属製であるため、ガラス扉の強度を保持することが可能になるとともに、穴空けの不正行為防止用のカバー部材等が必要でないため材料コストと取付作業工数の削減が可能な弾球遊技機のガラス扉を提供することができる。さらに、ガラス保持枠が金属製であるため、従来のガラス部品を使用できるため材料費の削減が可能な弾球遊技機のガラス扉を提供することができる。
【００４０】
また、請求項２に係る弾球遊技機のガラス扉によれば、前記ガラス保持枠の周縁被覆部から延出された延出部を介して、前記扉カバー部材にガラス保持枠が螺着される。
これにより、合成樹脂製扉カバー部材は前面の開口部を有する金属製ガラス保持枠と別体として保管することができ、在庫スペースをとらず管理経費を安くすることが可能な弾球遊技機のガラス扉を提供することができる。また、容易に合成樹脂製扉カバー部材から金属製ガラス保持枠を取り外すことができ、ガラス扉のデザイン変更を容易に行うことが可能な弾球遊技機のガラス扉を提供することができる。
【００４１】
また、請求項３に係る弾球遊技機のガラス扉によれば、前記ガラス保持枠の周縁被覆部の開口部周縁に、扉カバー部材の前面よりも突出して形成された突出縁部が形成されている。
これにより、ガラス前面と扉カバー部材端面との間に金属製の突出縁部が介在するため、ガラス前面を清掃する際に使用される洗剤の扉カバー部材への付着をより確実に防止でき、ガラス洗剤等による樹脂割れ等の発生を確実に防止することが可能な弾球遊技機のガラス扉を提供することができる。また、突出縁部の周縁と合成樹脂製扉カバー部材との間に隙間を作ることを困難にし、前面側からの不正行為をより確実に防止することが可能弾球遊技機のガラス扉を提供することができる。
【図面の簡単な説明】
【図１】
第１実施形態に係るパチンコ機全体を示した正面図である。
【図２】
第１実施形態に係るパチンコ機の遊技領域を示した正面図である。
【図３】
第１実施形態に係るガラス扉の正面図である。
【図４】
第１実施形態に係るガラス扉のＡ−Ａ断面図である。
【図５】
第１実施形態に係るガラス扉のＢ−Ｂ断面図である。
【図６】
第１実施形態に係るガラス扉のＣ−Ｃ断面図である。
【図７】
第２実施形態に係るガラス扉の正面図である。
【図８】
第２実施形態に係るガラス扉のＤ−Ｄ断面図である。
【図９】
第２実施形態に係るガラス扉のＥ−Ｅ断面図である。
【図１０】
第３実施形態に係るガラス扉の正面図である。
【図１１】
第３実施形態に係るガラス扉のＦ−Ｆ断面図である。
【図１２】
第３実施形態に係るガラス扉のＧ−Ｇ断面図である。
【符号の説明】
１                      パチンコ機
２                      遊技盤
９、８０、９０          ガラス扉
９Ａ、８１、９１        ガラス保持枠
５０                    開口部
５１                    ガラス
５２                    突出縁部
５３                    扉カバー部材
５６                    ヒンジ部材
５７                    切欠き部
５９Ａ、８２Ａ、９３Ａ  左側延出部
５９Ｂ、８２Ｂ、９３Ｂ  右側延出部
７１                    ヒンジピン
７２                    スプリング
７３                    ヒンジ上金具
７４                    ヒンジ下金具
７５                    回転支持ピン